(57)【特許請求の範囲】
【請求項１】
盛土の縁に沿う横方向に延びて立ち上がる捨て型枠を備え、この捨て型枠は、前記横方向に沿って延びる断面形状波形の波山部を上下方向の１か所以上に有する鋼板からなり、前記波山部を串刺し状態に貫通する固定杭により地盤に固定され、前記固定杭が、断面Ｖ字状の部分の開口縁の両側に前記Ｖ字状の部分の横幅方向に突出する平板状の突出部が続く断面形状である盛土の土留め構造。
【請求項２】
請求請１に記載の盛土の土留め構造において、前記捨て型枠は、前記盛土側に突出する底部折曲片を下端に有し、この底部折曲片を前記固定杭が上下に貫通する盛土の土留め構造。
【請求項３】
請求項１または請求項２に記載の盛土の土留め構造において、前記捨て型枠の前記波山部は、前記捨て型枠の少なくとも上半部分に設けられる盛土の土留め構造。
【請求項４】
請求項１ないし請求項３のいずれか１項に記載の盛土の土留め構造において、前記捨て型枠の前記波山部が断面形状台形である盛土の土留め構造。
【請求項５】
請求項１ないし請求項４のいずれか１項に記載の盛土の土留め構造において、前記捨て型枠が互いに端部が重なる状態で複数枚連続し、前記固定杭が、隣合う捨て型枠の重なり部分でその重なった両側の捨て型枠に渡って前記波山部を貫通し、両側の捨て型枠の連結とこれら捨て型枠の地盤への固定とを兼ねる盛土の土留め構造。
【請求項６】
請求項１ないし請求項５のいずれか１項に記載の盛土の土留め構造において、前記固定杭が鋼板の曲げ加工品からなり、前記捨て型枠の前記波山部に形成された杭挿通孔に圧入状態に貫通する盛土の土留め構造。
【請求項７】
請求項１ないし請求項６のいずれか１項に記載の盛土の土留め構造を備えた基礎・土間一体打ち体であって、
前記捨て型枠に沿う前記盛土と反対側位置に布基礎を有し、前記盛土の上面を覆う土間コンクリートと前記布基礎のベース部とが一体に打設されたコンクリートからなる基礎・土間一体打ち体。
【発明の詳細な説明】
【技術分野】
【０００１】
この発明は、住宅や商工業施設等となる建物の土間等における内部の盛土の土留め構造、およびこの土留め構造を備えた基礎・土間一体打ち体に関する。
【背景技術】
【０００２】
布基礎と、これに隣接する土間コンクリートとを一体に打設する工法の従来例として、図１１のように、土間の内部の盛土３１の布基礎４２側の縁に沿ってＧＲＣ板、厚板鋼板、ラス型枠などの捨て型枠３２を設けることで盛土３１を土留めし、この状態で布基礎４２のベース部４２ａと土間コンクリート４３を一体に打設する工法が知られている。
他の従来例として、図１２のように、土間の内部の盛土３１の布基礎４２側の縁に法面（斜面）３１ａを設けることで盛土３１を土留めし、この状態で布基礎４２のベース部４２ａと土間コンクリート４３を一体に打設する工法もある。なお、図１１および図１２に示す工法において、布基礎４２の立ち上がり部４２ｂはプレキャストコンクリートからなる。
【先行技術文献】
【特許文献】
【０００３】
【特許文献１】特開２０１３−１５９９２２号公報
【特許文献２】特開平１０−１４０６５４号公報
【発明の概要】
【発明が解決しようとする課題】
【０００４】
図１１に示す従来の工法では、土間の内部の盛土３１を土留めするのに捨て型枠３２を用いているが、その捨て型枠３２としてＧＲＣ板や厚板鋼板を用いる場合、強度は強いが高価であるという難点がある。また、捨て型枠３２としてラス型枠を用いる場合、安価ではあるが強度が弱いという難点がある。この場合、捨て型枠３２として一般的な鋼板を用いることも可能であるが、それでは捨て型枠３２の剛性が不足し、布基礎４２の転圧により捨て型枠３２にはらみ形状の変形が生じるという問題がある。
また、図１２に示す従来の工法では、土間の内部の盛土３１の布基礎４２側の縁に設けた法面（斜面）３１ａの部分が転圧し難くて崩れ易く、また同図に鎖線で示す部分に余分なコンクリートを打設することになる等の問題がある。
【０００５】
この発明の目的は、盛土の転圧に耐えかつ安価な材料で施工性良く土留めできる盛土の土留め構造、およびこの土留め構造を用いて安価に施工できる基礎・土間一体打ち体を提供することである。
【課題を解決するための手段】
【０００６】
この発明の盛土の土留め構造は、盛土の縁に沿う横方向に延びて立ち上がる捨て型枠を備え、この捨て型枠は、前記横方向に沿って延びる断面形状波形の波山部を上下方向の１か所以上に有する鋼板からなり、前記波山部を串刺し状態に貫通する固定杭により地盤に固定され、前記固定杭が、断面Ｖ字状の部分の開口縁の両側に前記Ｖ字状の部分の横幅方向に突出する平板状の突出部が続く断面形状である。
【０００７】
この構成によると、盛土の縁に沿って立ち上がる捨て型枠が、前記横方向に沿って延びる波山部を上下方向の１か所以上に有する鋼板からなるため、その凹凸形状のために剛性が強い。さらに、前記捨て型枠は前記波山部を串刺し状態に貫通する固定杭により補強されている。そのため、盛土の転圧に十分に耐えることができる。また、鋼板に波山部を加工しただけの捨て型枠であるため、安価に得られる。捨て型枠の地盤への固定についても、前記波山部を串刺し状態に貫通する固定杭により固定するため、施工性が良い。このように、鋼板の波山部を剛性向上と地盤への固定の２つの異なる役割に効果的に利用したため、盛土の転圧に耐えかつ安価な材料で施工性良く土留めできる盛土の土留め構造となる。
【０００８】
この発明において、前記捨て型枠は、前記盛土側に突出する底部折曲片を下端に有し、この底部折曲片を前記固定杭が上下に貫通するものとしても良い。前記捨て型枠の前記波山部は例えば断面形状台形であっても良い。
この構成の場合、捨て型枠は、その下端の底部折曲片と、この底部折曲片を上下に貫通する固定杭とによって安定した立ち姿勢に保たれるので、盛土をより確実に土留めできる。
【０００９】
この発明において、前記捨て型枠の前記波山部は、前記捨て型枠の少なくとも上半部分に設けられていても良い。
捨て型枠の上半部分には、転圧時に盛土から押し付けられる力が下半部分よりも大きく作用する。そのため、前記波山部が上半部分に設けられることで、剛性増大による、はらみ形状の変形がより効果的に防止される。
【００１０】
この発明において、前記捨て型枠が互いに端部が重なる状態で複数枚連続し、前記固定杭が、隣合う捨て型枠の重なり部分でその重なった両側の捨て型枠に渡って前記波山部を貫通し、両側の捨て型枠の連結とこれら捨て型枠の地盤への固定とを兼ねるものとしても良い。
この構成の場合、固定杭を捨て型枠の接続治具に兼用できるので、部材の種類が少なくて済み、材料費を安価に抑えることができる。また、重なり部分に前記固定杭を貫通させるだけで良いため、施工性にも優れる。
【００１１】
この発明において、前記固定杭が鋼板の曲げ加工品からなり、前記捨て型枠の前記波山部に形成された杭挿通孔に圧入状態に貫通するものとしても良い。
固定杭が鋼板の曲げ加工品からなるため、丸杭に比べて、地中に石等の障害があった場合にも貫入させ易く、また安価に杭が得られる。圧入状態に貫通することで、捨て型枠の設置位置の精度や向上し、ぐらつき等も回避できる。
【００１２】
この発明の基礎・土間一体打ち体は、前記発明の盛土の土留め構造を備えた基礎・土間一体打ち体であって、
前記捨て型枠に沿う前記盛土と反対側位置に布基礎を有し、前記盛土の上面を覆う土間コンクリートと前記布基礎のベース部とが一体に打設されたコンクリートからなるものである。
【００１３】
この構成によると、この発明の盛土の土留め構造を土間の内部の盛土に採用するので、基礎・土間一体打ち体を安価に施工することができる。また、捨て型枠が変形せず、精度良く構築でき、施工性にも優れる。また、余分なコンクリートの発生が少なく、法面など、施工上不安定な箇所がなくせる。
【００１４】
この発明において、前記布基礎の立ち上がり部がプレキャストコンクリートからなるものとしても良い。立ち上がり部がプレキャストコンクリートであると、より一層施工性が向上する。
【発明の効果】
【００１５】
この発明の盛土の土留め構造は、盛土の縁に沿う横方向に延びて立ち上がる捨て型枠を備え、この捨て型枠は、前記横方向に沿って延びる断面形状波形の波山部を上下方向の１か所以上に有する鋼板からなり、前記波山部を串刺し状態に貫通する固定杭により地盤に固定され、前記固定杭が、断面Ｖ字状の部分の開口縁の両側に前記Ｖ字状の部分の横幅方向に突出する平板状の突出部が続く断面形状であるため、盛土の転圧に耐えかつ安価な材料で土留めでき、施工性にも優れる。
【００１６】
この発明の基礎・土間一体打ち体は、前記発明の盛土の土留め構造を備えた基礎・土間一体打ち体であって、前記捨て型枠に沿う前記盛土と反対側位置に布基礎を有し、前記盛土の上面を覆う土間コンクリートと前記布基礎のベース部とが一体に打設されたコンクリートからなるものであるため、基礎・土間一体打ち体を、施工性良く、安価に、かつ精度良く施工できる。
【図面の簡単な説明】
【００１７】
【図１】この発明の一実施形態にかかる盛土の土留め構造を備えた基礎・土間一体打ち体の一例の断面図である。
【図２】同土留め構造における捨て型枠の斜視図である。
【図３】同土留め構造における出隅部の捨て型枠の斜視図である。
【図４】同土留め構造における固定杭の各例を示す水平断面図である。
【図５】基礎・土間一体打ち体の施工工程を示す説明図である。
【図６】同土留め構造の他の例が適用された基礎・土間一体打ち体の断面図である。
【図７】同土留め構造のさらに他の例が適用された基礎・土間一体打ち体の断面図である。
【図８】同土留め構造を備える基礎・土間一体打ち体の他の例の断面図である。
【図９】同土留め構造を備えるコンクリート打ち階段の斜視図である。
【図１０】同コンクリート打ち階段の施工時の断面図である。
【図１１】従来例の断面図である。
【図１２】他の従来例の断面図である。
【発明を実施するための形態】
【００１８】
この発明の一実施形態にかかる盛土の土留め構造を備える基礎・土間一体打ち体の一例を、図１ないし図５と共に説明する。この土留め構造は、住宅や商工業施設等となる建物に適用される。この盛土の土留め構造は、図１に示すように、盛土１の縁に沿う横方向に延びて立ち上がる捨て型枠２を備える。この捨て型枠２は、前記横方向に沿って延びる断面形状波形の波山部２ａを上下方向の１か所以上（ここでは２か所）に有する鋼板からなり、それらの波山部２ａを串刺し状態に上下に貫通する固定杭３により地盤１０に固定される。捨て形枠２の２か所の波山部２ａのうち、少なくとも１つの波山部２ａは、捨て型枠２の上半部分に位置させるのが望ましい。ここでは、前記波山部２ａの断面形状が台形とされている。
【００１９】
この捨て型枠２は、図２に斜視図で示すように、前記盛土１側に突出する底部折曲片２ｂを下端に有し、この底部折曲片２ｂを、前記波山部２ａを貫通した固定杭３が上下に貫通して地盤１０に固定される。また、この捨て型枠２は、互いに側端部が重なる状態で複数枚連続し、固定杭３が、隣合う捨て型枠２，２の重なり部分でその重なった両側の捨て型枠２，２に渡って貫通し、両側の捨て型枠２，２の連結とこれら捨て型枠２の地盤１０への固定とを兼ねる。このように、固定杭３を捨て型枠２の接続治具に兼用することで、部材の種類を少なくでき、材料費を安価に抑えることができる。
図３には、出隅部の捨て型枠２Ａを斜視図で示している。この出隅部の捨て型枠２Ａは、帯状の２枚の捨て型枠２、２のそれぞれの一側端同士を、互いに直角となるように溶接あるいはビス（図示せず）により接合して構成される。
【００２０】
前記固定杭３は鋼板の曲げ加工品からなり、捨て型枠２の前記波山部２ａに形成された杭挿通孔４に圧入状態に貫通する。すなわち、杭挿通孔４が固定杭３の断面寸法よりも僅かに小さな断面寸法に形成されている。杭挿通孔４の断面形状は、圧入状態とできる形状であれば、固定杭３の断面形状と同じであっても、また固定杭３が内接する多角形等の形状であっても使用可能であるが、この実施形態では図４（Ｃ）に示す断面形状の固定杭３を用いる。図４には、固定杭３の各例を水平断面図で示している。図４（Ａ）では断面Ｖ字状とした固定杭３の例を示し、図４（Ｂ）では断面溝形とした固定杭３の例を示し、図４（Ｃ）では平板状部分の中央に断面Ｖ字状の部分を有する断面形状とした固定杭３の例を示し、換言すれば断面Ｖ字状の部分の開口縁の両側に前記Ｖ字状の部分の横幅方向に突出する平板状の突出部が続く断面形状とされている。
図４（Ａ）に示す断面形状の固定杭３の場合、地盤１０に打ち込むとき、土中の砕石等にぶつかると固定杭３がずれて回転するなどの不具合が生じることも考えられる。また、図４（Ｂ）に示す断面形状の固定杭３の場合も、土中の砕石等にぶつかると、打ち込みを円滑に行えない恐れがある。これに対して、図４（Ｃ）に示す断面形状の固定杭３の場合は、土中の砕石等にぶつかっても回転せず、円滑に打ち込むことができるので、前記土留め構造に使用する固定杭３として最も好ましい。
【００２１】
上記した盛土の土留め構造を備える図１の基礎・土間一体打ち体１１は、前記捨て型枠２に沿う前記盛土１と反対側位置に布基礎１２を有し、前記盛土１の上面を覆う土間コンクリート１３と、前記布基礎１２のベース部１２ａとが一体に打設されたコンクリートからなる。この基礎・土間一体打ち体１１の施工手順の概略を、図５を参照して以下に説明する。
先ず、図５（Ａ）のように、地盤上面レベルＧＬ下に布基礎１２を配置する根切り凹部１５を掘削し、根切り凹部１５に隣接して残る盛土１の縁に沿って前記捨て型枠２を配置し、これを前記固定杭３で地盤１０に固定する。また、根切り凹部１５内には、布基礎１２を打設する基礎型枠１６、１６Ａ，１７を、布基礎１２のベース部１２ａの土間コンクリート１３側の側面となる部分が開放された形態で設置する。
次に、図５（Ｂ）のように、布基礎１２の基礎型枠１６、１６Ａ，１７内にコンクリートを打設すると共に、前記盛土１上にも土間コンクリート１３を打設する。
この後、コンクリートの養生後に、図５（Ｃ）のように、基礎型枠１６、１６Ａ，１７を脱型し、成形された布基礎１２の土間コンクリート１３とは反対側の空間に土を埋め戻す。
【００２２】
このように、この盛土の土留め構造では、盛土１の縁に沿う横方向に延びて立ち上がる捨て型枠２を備え、この捨て型枠２が前記横方向に沿って延びる断面形状波形の波山部２ａを上下方向の１か所以上に有する鋼板からなり、前記波山部２ａを串刺し状態に上下に貫通する固定杭３により地盤１０に固定されるので、盛土１の転圧に耐えかつ安価な材料で盛土１を土留めすることができる。しかも施工性に優れる。
【００２３】
また、この実施形態では、捨て型枠２が、盛土１側に突出する底部折曲片２ｂを下端に有し、この底部折曲片２ｂを固定杭３が上下に貫通するものとしているので、底部折曲片２ｂと、この底部折曲片２ｂを上下に貫通する固定杭３とによって、捨て型枠２を安定した立ち姿勢に保つことができ、盛土１をより確実に土留めできる。
【００２４】
また、この盛土の土留め構造を備える基礎・土間一体打ち体１１は、前記捨て形枠２に沿う前記盛土１と反対側位置に布基礎１２を有し、盛土１の上面を覆う土間コンクリート１３と布基礎１２のベース部１２ａとが一体に打設されたコンクリートからなるので、基礎・土間一体打ち体１１を安価に施工することができる。
さらに、上記のように土留めをできるため、区画毎に施工することにより、残土を場外に排出することなく施工が可能で、残土処分費の低減に寄与し、これによってもコストダウンとなる。
【００２５】
図６は、前記盛土１の土留め構造を備える基礎・土間一体打ち体１１の他の例を断面図で示している。この例では、捨て型枠２として波山部２ａを１．５か所に有するもの、つまり１つの波山部２ａと半分の波山部２ａａが上下に並ぶものを用いている。その他の構成および作用効果は、図１〜図５に示した基礎・土間一体打ち体１１の場合と同様である。
【００２６】
図７は、前記盛土１の土留め構造を備える基礎・土間一体打ち体１１のさらに他の例を断面図で示している。この例では、捨て型枠２として波山部２ａを上下方向の１か所にだけ有するものを用いている。その他の構成および作用効果は、図１〜図５に示した基礎・土間一体打ち体１１の場合と同様である。
【００２７】
図８は、前記盛土１の土留め構造を備える基礎・土間一体打ち体１１のさらに他の例を断面図で示している。この例では、図１〜図５に示した基礎・土間一体打ち体１１において、布基礎２のベース部１２ａの一側面を成形する基礎型枠１７に代えて、盛土１の土留め構造に用いたものと同じ構造の捨て型枠２を設けている。また、この例では、布基礎１２の立ち上がり部１２ｂがプレキャストコンクリートからなる。
【００２８】
この基礎・土間一体打ち体１１では、布基礎１２のベース部１２ａの一側面を成形する型枠が捨て型枠２からなるので、コンクリート打設後の布基礎ベース部１２ａでの脱型が不要になる。また、布基礎１２の立ち上がり部１２ｂがプレキャストコンクリートからなるので、その成形のための基礎型枠１６、１６Ａも不要であり、脱型も不要となる。これにより、施工が容易になり、コストも低減できる。
【００２９】
図９は上記した盛土の土留め構造を備えるコンクリート打ち階段からなる台部２１の外観斜視図を示し、図１０はその台部２１の施工時の断面図を示す。この台部２１でも、その内部の盛土１Ａの縁に、図１〜図５で示した基礎・土間一体打ち体１１の土留め構造で用いたものと同じ捨て型枠２が設けられ、同じ固定杭３により地盤１０に固定される。この捨て型枠２の外側に台部２１の外面を成形する通常の型枠２２が設置され、型枠２２の内側空間にコンクリート２３を打設することによりコンクリート打ち階段となる台部２１が成形される。
【００３０】
このコンクリート打ち階段等の台部２１でも、内部の盛土１Ａが捨て型枠２により土留めされるので、土圧によるはらみが捨て型枠２に生じない。
【符号の説明】
【００３１】
１…盛土
２，２Ａ…捨て型枠
２ａ，２ａａ…波山部
２ｂ…底部折曲片
３…固定杭
４…杭挿通孔
１０…地盤
１１…基礎・土間一体打ち体
１２…布基礎
１２ａ…ベース部
１２ｂ…立ち上がり部
１３…土間コンクリート
【図１】
0006442725.tif 000002
【図２】
0006442725.tif 000003
【図３】
0006442725.tif 000004
【図４】
0006442725.tif 000005
【図５】
0006442725.tif 000006
【図６】
0006442725.tif 000007
【図７】
0006442725.tif 000008
【図８】
0006442725.tif 000009
【図９】
0006442725.tif 000010
【図１０】
0006442725.tif 000011
【図１１】
0006442725.tif 000012
【図１２】
0006442725.tif 000013